(57)【要約】      （修正有）【課題】流動体製品の漏れを検知する漏れセンサーが調整弁に設置されている充填包装機であっても、漏れセンサーに水滴が凝縮することがなく、誤報アラーム発生を無くして、包装充填の製造、その準備段階での工程及び、製造後の洗浄工程を妨げることが無い信頼性の高い包装充填装置を提供する。【解決手段】充填用パイプの上流に配設され流動体製品の流量を制御する調整弁１１は、弁本体１２と弁筐体１３とからなり、流動体製品用通路１４を形成するように弁本体１２と弁筐体１３とが、漏れセンサーを含むシール膜１５を介して、連結具(ボルト)１６により連結され、該シール膜の外周の縁部近傍に、乾燥気体用通路１７が形成され、該乾燥気体用通路１７に入口路１８及び出口路１９とが連通されている。乾燥滅菌空気を流動体製品用通路１４に導入する導入路２１と、更にその導入された乾燥気体を、乾燥気体用通路１７に導く導管２２が形成されている。【選択図】図１
2005082187.tif 000002
【特許請求の範囲】
【請求項１】
下方に搬送されているウェブ状包材を、縦シール装置で該包材の縁部に沿って縦方向にシールしてチューブ状に形成し、
該チューブ状包材内に充填用パイプを介して流動体製品を充填し、該縦シール装置の下方に配設された横シール装置によって該チューブ状包材の設定距離ごとに横方向にシールし、
該横シール装置の下方に配設された切断装置によって前記横シール部分において該包材を切断して包装容器を得る装置であって、
該充填用パイプの上流に配設され流動体製品の流量を制御する調整弁が、弁本体と弁筐体とからなり、流動体製品用通路を形成するように該弁本体と該弁筐体とが、漏れセンサーを含むシール膜を介して、連結具により連結され、
該シール膜の内周及び又は外周の縁部近傍に、乾燥気体用通路が形成され、該乾燥気体用通路に入口路及び出口路とが連通されている、ことを特徴とする包装充填装置。
【請求項２】
該乾燥気体用通路の入口路が、該流動体製品用通路と適宜連通し、該出口路が該流動体製品用通路該雰囲気と適宜連通する、請求項１記載の包装充填装置。
【請求項３】
該乾燥気体用通路の入口路が、乾燥気体供給源と適宜連通し、該出口路が該流動体製品用通路該雰囲気と適宜連通する、請求項１記載の包装充填装置。
【発明の詳細な説明】
【技術分野】
【０００１】
本発明は、牛乳、ジュース等の流動体製品が充填された包装容器を製造する包装充填装置に関する。
【背景技術】
【０００２】
従来、例えば、牛乳等の流動体製品（流動食品も含む）が充填された包装容器を製造する場合、可撓性積層体から成るウェブ状包材を縦方向にシールしてチューブ状にし、チューブ状包材に流動体製品を充填しながら横方向にシールして包装容器を製造する。
【０００３】
図３は、包装容器製造装置例の概略図である。包材３１を繰り出して、上部のフィーディングプレート３２、フォールディングローラ３３及びガイドローラ３４で、ウェブ状の包材３１は二つ折りにされる。フィーディングヘッド３５では、逆「Ｕ」字型のヘッド本体を有し、ヘッド本体の上側表面に湾曲した包材用通路が形成され、包材３１を搬送する。
フィーディングヘッドにおいて反転させられた包材３１は、縦シール装置３６に搬送される。縦シール装置３６では、二つ折りにされた包材３１を縁部に沿って縦方向にシールしてチューブ状にする。チューブ状の包材３１内に充填用パイプ３７が挿入され、該充填用パイプ３７を介して包材３１に流動体製品が注入される。扁平なチューブ形状になる。
縦シール装置３６の下方には横シール装置３８が配設され、横シール装置３８によって包材３１は横方向にシールされる。連続する包材３１内の流動体製品が密封される。横シール装置３８の下方に切断装置３９が配設され、切断装置３９によって包材３１各横シール部分において包材３１がカットされ、複数の枕状の包装容器４０が形成される。形成された枕状の包装容器４０は、矩形の最終形状包装容器にされる。
【０００４】
容器の充填包装機の一例の概要を、図４に示す。この例に示す充填機で、内外層に熱可塑性材料層を有しロール状に巻かれた包装材料ウェブ４１を巻き出し、ローラにより充填機内を搬送する。ストリップテープをストリップテープアプリケータ４３により、包装材料ウェブの一端に接合する。滅菌剤槽４４内を包装材料ウェブが通過して滅菌する。エアーナイフ４５により滅菌剤を除去する。成形ローラ４６によりチューブ状に成形する。包装材料の両端部を重ねてオーバーラップを形成し、オーバーラップで縦線方向に縦シールエレメント４２によりチューブ縦方向にシールする。そのチューブ内に充填パイプ４７から液体食品を充填する。このチューブを包装容器１個分に相当する長さ分だけ下方に送りながら、シールジョー及び対向ジョー４８により挟持する。横断方向に横シールして２本の横シール帯域を形成し、同時に枕状予備成形体４９に連続的に成形する。枕状予備成形体のシール帯域の中間をナイフなどにより切断して個々の枕状予備成形体４９に切り離し、最終形態の包装充填容器に成形する。
【０００５】
上記の装置例において、充填用パイプの上流に流動体製品の流量を制御する調整弁が配設されている。従来、その調整弁は、タンク若しくは、チューブ状包材内部の液面を検知して得た情報から流動体製品の流量を制御する。
該充填用パイプや該調整弁には、流動体製品の漏れを検知する漏れセンサーが設置されている。
【特許文献１】特開平０８ー１１９２０３号公報
【発明の開示】
【発明が解決しようとする課題】
【０００６】
流動体製品の漏れを検知する漏れセンサーが調整弁に設置されている充填包装機では、漏れセンサーに、充填用パイプや調整弁に水滴が凝縮して形成され、その水滴がセンサーの検知部分に接触し、漏れとして誤報アラームを発し、包装充填の製造、その準備段階での工程及び、製造後の洗浄工程を停止若しくは中断させる。誤報アラームによる製造、準備及び洗浄の工程の停止中断のない信頼性の高い包装充填装置が望まれている。
また、漏れセンサーとして、膜形状のセンサー用いている場合、場合によっては、膜センサー自体が、湿度の高いセンサー雰囲気によって劣化が促進される恐れがあり、膜センサー雰囲気がセンサーに良好な雰囲気であることが必要がある。
【課題を解決するための手段】
【０００７】
この発明による包装充填装置は、下方に搬送されているウェブ状包材を、縦シール装置で該包材の縁部に沿って縦方向にシールしてチューブ状に形成し、該チューブ状包材内に充填用パイプを介して流動体製品を充填し、該縦シール装置の下方に配設された横シール装置によって該チューブ状包材の設定距離ごとに横方向にシールし、該横シール装置の下方に配設された切断装置によって前記横シール部分において該包材を切断して包装容器を得る装置であって、
該充填用パイプの上流に配設され流動体製品の流量を制御する調整弁が、弁本体と弁筐体とからなり、流動体製品用通路を形成するように該弁本体と該弁筐体とが、漏れセンサーを含むシール膜を介して、連結具により連結され、該シール膜の内周及び又は外周の縁部近傍に、乾燥気体用通路が形成され、該乾燥気体用通路に入口路及び出口路とが連通されている、ことを特徴とする。
【０００８】
この発明による好ましい態様において、乾燥気体用通路の入口路が、該流動体製品用通路と適宜連通し、該出口路が該流動体製品用通路該雰囲気と適宜連通することができる。
【０００９】
この発明による好ましい態様において、乾燥気体用通路の入口路が、乾燥気体供給源と適宜連通し、該出口路が該流動体製品用通路該雰囲気と適宜連通することができる。
【発明の効果】
【００１０】
この発明による包装充填装置によって、流動体製品の漏れを検知する漏れセンサーが調整弁に設置されている充填包装機であっても、漏れセンサーに水滴が凝縮することがなく、誤報アラーム発生を無くして、包装充填の製造、その準備段階での工程及び、製造後の洗浄工程を妨げることが無い信頼性の高い包装充填装置を提供することができる。
また、乾燥気体によるセンサー雰囲気によって劣化を防止することができる。
【発明を実施するための最良の形態】
【００１１】
以下、本発明の実施の形態について図面を参照しながら詳細に説明する。
図１は、本発明の実施例における包装充填装置の調整弁の概略部分的断面図である。
この実施例の充填用パイプの上流に配設され流動体製品の流量を制御する調整弁１１は、弁本体１２と弁筐体１３とからなり、流動体製品用通路１４を形成するように弁本体１２と弁筐体１３とが、漏れセンサーを含むシール膜１５を介して、連結具(ボルト)１６により連結され、該シール膜の外周の縁部近傍に、乾燥気体用通路１７が形成され、該乾燥気体用通路１７に入口路１８及び出口路１９とが連通されている。
この実施形態では、乾燥気体（圧縮された乾燥滅菌空気）を流動体製品用通路１４に導入する導入路２１と、更にその導入された乾燥気体を、乾燥気体用通路１７に導く導管２２が形成されている。
【００１２】
乾燥気体（圧縮された乾燥滅菌空気）が、包装充填の製造中断中、準備段階での工程中及び、製造後の洗浄工程の前後に、導入路２１を介して、流動体製品用通路１４に導入される。乾燥空気は流動体製品用通路１４を所定の目的で処理され、更に、その導入された乾燥気体は、導管２２及び入口路１８を介して、乾燥気体用通路１７に導かれる。
シール膜の外周の縁部近傍に形成された乾燥気体用通路１７を、乾燥気体が循環し弁本体１２と弁筐体１３との間隙、及びセンサー雰囲気を、センサーに良好は乾燥状態に維持し、漏れセンサーに水滴が凝縮することを防止する。乾燥気体の一部は、乾燥気体用通路１７から出口路１９を介して排出される。
【００１３】
図１の実施例の調整弁は、図３に示す包装充填装置に設置することができる。
包装充填装置は、下方に搬送されているウェブ状包材３１を、縦シール装置３６で包材の縁部に沿って縦方向にシールしてチューブ状に形成し、チューブ状包材内に充填用パイプ３７を介して流動体製品を充填し、縦シール装置の下方に配設された横シール装置３８によってチューブ状包材の設定距離ごとに横方向にシールし、横シール装置の下方に配設された切断装置３９によって横シール部分において該包材を切断して包装容器を得る。
【００１４】
図２は、本発明の別の実施例における包装充填装置の調整弁の概略部分的断面図である。
この実施例の充填用パイプの上流に配設され流動体製品の流量を制御する調整弁１１は、弁本体１２と弁筐体１３とからなり、流動体製品用通路１４を形成するように弁本体１２と弁筐体１３とが、漏れセンサーを含むシール膜１５を介して、連結具(ボルト)１６により連結され、該シール膜の外周の縁部近傍に、乾燥気体用通路１７が形成され、乾燥気体用通路１７に入口路１８及び出口路１９とが連通されている。
この実施形態では、乾燥気体（圧縮された乾燥滅菌空気）を乾燥気体用通路１７に導入する導管２２が形成されている。
乾燥気体（圧縮された乾燥滅菌空気）が、包装充填の製造中断中、準備段階での工程中及び、製造後の洗浄工程の前後に、導管２２及び入口路１８を介して、乾燥気体用通路１７に導かれる。
シール膜の外周の縁部近傍に形成された乾燥気体用通路１７を、乾燥気体が循環し弁本体１２と弁筐体１３との間隙、及びセンサー雰囲気を、センサーに良好は乾燥状態に維持し、漏れセンサーに水滴が凝縮することを防止する。乾燥気体の一部は、乾燥気体用通路１７から出口路１９を介して排出される。
【００１５】
図２の実施例の調整弁は、図４に示す包装充填装置に設置することができる。
包装充填装置は、下方に搬送されているウェブ状包材４１を、縦シール装置４２で包材の縁部に沿って縦方向にシールしてチューブ状に形成し、チューブ状包材内に充填用パイプ４７を介して流動体製品を充填し、縦シール装置の下方に配設された横シール装置４８によってチューブ状包材の設定距離ごとに横方向にシールし、横シール装置の下方に配設された切断装置によって横シール部分において該包材を切断して包装容器を得る。
【００１６】
なお、本発明は前記実施の形態に限定されるものではなく、本発明の趣旨に基づいて種々変形させることが可能であり、それらを本発明の範囲から排除するものではない。
【産業上の利用可能性】
【００１７】
牛乳、ジュース等の流動体製品が充填された包装容器を製造することができる。
【図面の簡単な説明】
【００１８】
【図１】本発明の実施例における包装充填装置の調整弁の概略部分的断面図である。
【図２】本発明の別の実施例における包装充填装置の調整弁の概略部分的断面図である。
【図３】包装容器製造装置例の概略図である。
【図４】包装容器製造装置例の概略図である。
【符号の説明】
【００１９】
１１    調整弁
１２    弁本体１２
１３    弁筐体
１４    流動体製品用通路
【図１】
2005082187.tif 000003
【図２】
2005082187.tif 000004
【図３】
2005082187.tif 000005
【図４】
2005082187.tif 000006